(57)【特許請求の範囲】
【請求項１】
ハウジングと、前記ハウジングに配設された複数のコンタクトと、前記ハウジングに取り付けられたアクチュエータと、前記ハウジングと前記アクチュエータとに挟持され、かつ、前記各コンタクトにそれぞれ接触する複数のパッドを有するＦＰＣとから構成され、
前記アクチュエータは、前記ＦＰＣと接続する閉鎖位置と、接続を解除する開放位置との間で、前記ハウジングに回転開閉自在に取り付けられ、
前記ハウジングは、両側にそれぞれロック受部を有し、
前記アクチュエータは、平板状に形成され、前記ＦＰＣの挿入側に前記ＦＰＣから荷重を受ける端部を有し、前記ＦＰＣの挿入側の反対側に回転中心を有し、
両側にそれぞれ前記ロック受部と係合するロック部と、前記アクチュエータを開放するための開放操作部とを有し、
前記ロック部は、前記端部よりも前記回転中心から遠く離れて位置し、
前記アクチュエータを開放する方向に前記ＦＰＣが引張られたときに、前記ロック部と前記ロック受部とが係合する位置と前記アクチュエータの回転中心との間の距離が、前記ＦＰＣから前記アクチュエータが荷重を受ける端部と前記アクチュエータの回転中心との間の距離よりも長く構成され、
前記ロック部は、前記アクチュエータの端部よりも、前記ＦＰＣの挿入方向の反対方向及び前記ＦＰＣの幅方向の両方向に前記アクチュエータから突出して形成され、
前記開放操作部は、前記ロック部に形成され、又は、前記ロック部よりも前記回転中心から遠い位置に形成されていることを特徴とするＦＰＣ用コネクタ。
【発明の詳細な説明】
【０００１】
【発明の属する技術分野】
本発明は、ＦＰＣ（フレキシブル・プリンテッド・サーキット）用コネクタ、特にプリント回路基板等に実装される際に高密度実装に好適なＦＰＣ用コネクタに関する。
【０００２】
【従来の技術】
特開平９−８２４２７号公報に記載された従来のＦＰＣ用コネクタについて図４〜図７を参照して説明する。図４は、ＦＰＣ用コネクタの全体を示す斜視図であり、ＦＰＣがコネクタに挿入される前の状態を示す。図５は、各第１のコンタクトと各第２のコンタクトをハウジングに取り付ける前の状態を示す斜視図、図６は、コネクタの断面図、図７は、ＦＰＣのパッド部を示す平面図である。
【０００３】
図４に示されるように、ハウジング１５は、基台部２０とその両側方に設けられた側壁部２１，２１とから、上方が開口した形状に構成されている。基台部２０には、前方側及び後方側からそれぞれ切り込まれた多数のスリット２０ａ，２０ｂが形成されている。
【０００４】
図４と図５に示されるように、ハウジング１５の各スリット２０ａ，２０ｂには、ハウジング１５の前方側から各第１のコンタクト１６が、後方側から各第２のコンタクト１７が、それぞれ挿入されている。各第１のコンタクト１６は、接触片１６ａと固定片１６ｂとハウジング１５の外方に延びるリード端子片１６ｃとから構成される。図６（Ａ）に示されるように、各第１のコンタクト１６がハウジング１５内に挿入された状態で、断面コ字状の接触片１６ａと固定片１６ｂはハウジング１５の前方側に突出する凸部２０ｃを上下から挟み込む。また、接触片１６ａの先端上面には、ＦＰＣ１９のパッド部と電気的に接触するための接点部１６ｄが設けられている。更に、各第１のコンタクト１６がハウジング１５内に挿入された状態で、固定片１６ｂとリード端子片１６ｃの各下面はハウジング１５の下面と面一状態となる。
【０００５】
図５（Ｂ）に示されるように、各第２のコンタクト１７は、接触片１７ａと固定片１７ｂとリード端子片１７ｃに加えて、接触片１７ａの上方に弾性支持片１７ｅを有する。図６（Ｂ）に示されるように、各第２のコンタクト１７がハウジング１５内に挿入された状態で、接触片１７ａと固定片１７ｂはハウジング１５の後方側に突出する凸部２０ｄを上下から挟み込む。更に、弾性支持片１７ｅの先端は円滑な湾曲面を有し、この部分が後述するレバー部１８を支持する。また、接触片１７ａの先端上面には、ＦＰＣ１９のパッド部と電気的に接触するための接点部１７ｄが設けられている。更に、各第２のコンタクト１７がハウジング１５内に挿入された状態で、固定片１７ｂとリード端子片１７ｃの各下面はハウジング１５の下面と面一状態となる。
【０００６】
更に、図４に示されるように、各第１、第２のコンタクト１６，１７がハウジング１５に組み込まれた状態では、各接触片１６ａ，１７ａはハウジングの幅方向において重ならない。したがって、隣接する各第１、第２のコンタクト１６，１７の接点部１６ｄ，１７ｄは、ハウジング１５の前後方向と幅方向に千鳥状（ジグザグ状）に配列されている。そして、図６（Ａ）〜（Ｃ）に示されるように、第１、第２のコンタクト１６，１７の接点部１６ｄ，１７ｄとレバー部１８の回転中心（弾性支持片１７ｅの先端）が二等辺三角形の位置関係になるように設計されている。
【０００７】
レバー部１８は、図４に示されるように、ハウジング１５の上方に各弾性支持片１７ｅの先端を中心として回転自在に支持され、ＦＰＣ１９をハウジング１５上の所定の位置にセットした後、レバー部１８を回転させることによって、レバー部１８は、ＦＰＣ１９を押圧固定するとともに、ＦＰＣ１９を覆うハウジング１５の蓋となる。図６（Ａ）〜（Ｃ）に示されるように、レバー部１８の回転中心側には湾曲した係止部１８ａが設けられ、係止部１８ａと各第２のコンタクト１７の弾性支持片１７ｅの先端がはまることによって、レバー部１８が各弾性支持片１７ｅの先端を中心として回転することができる。また、レバー部１８の開放状態（図６（Ａ）と（Ｂ））におけるＦＰＣ１９との接触面は円滑な曲面状に形成され、レバー部１８の閉鎖状態（図６（Ｃ））におけるＦＰＣ１９との接触面は平面状に形成されている。
【０００８】
更に、図４に示されるように、レバー部１８の先端の両側面には凸部１８ｂが形成され、レバー部１８が各弾性支持片１７ｅの先端を中心として回転したとき、各凸部１８ｂがハウジング１５の両側壁部２１の各凹部２１ａにはまることによって、レバー部１８の閉鎖状態が維持される。
【０００９】
一方、図７に示されるように、ＦＰＣ１９の裏面には、多数のパッド部２２ａ，２２ｂが２列の千鳥状（ジグザグ状）に設けられている。そして、ＦＰＣ１９の先端に近い列の各パッド部２２ａは、コネクタの各第２のコンタクト１７の接点部１７ｄに接触し、ＦＰＣ１９の先端から遠い列の各パッド部２２ｂは、コネクタの各第１のコンタクト１６の接点部１６ｄに接触することができる。
【００１０】
【発明が解決しようとする課題】
前記従来のＦＰＣ用コネクタは、レバー部１８がハウジング１５に対して開放及び閉鎖のために回転する構成を採用しているため、間違ってＦＰＣ１９がレバー部１８を開放する方向に一定以上の力で引張られた場合、レバー部１８が無用に開放する。
【００１１】
具体的に説明すると、前記従来のＦＰＣ用コネクタの欠点は、次のとおりである。すなわち、レバー部１８の回転中心（各第２のコンタクト１７の弾性支持片１７ｅの先端）とレバー部１８の各凸部１８ｂがはまるハウジング１５の両側壁部２１の各凹部２１ａとの間の距離は、レバー部１８の回転中心とＦＰＣ１９がレバー部１８を開放する方向に引張力を作用する箇所（レバー部１８の回転中心から最も遠いレバー部１８の先端部）との間の距離よりも短い。したがって、ＦＰＣ１９がレバー部１８を開放する方向に僅かな力で引張られても、レバー部１８がみだりに開放する。
【００１２】
そこで、本発明は、前記従来のＦＰＣ用コネクタの欠点を改良し、レバー部（アクチュエータ）がハウジングに対して閉鎖状態を安定して維持することができ、しかも、間違ってＦＰＣがアクチュエータを開放する方向に僅かな力で引張られても、アクチュエータが開放しないＦＰＣ用コネクタを提供しようとするものである。
【００１３】
【課題を解決するための手段】
本発明は、前記課題を解決するため、次の手段を採用する。
【００１４】
ハウジングと、前記ハウジングに配設された複数のコンタクトと、前記ハウジングに取り付けられたアクチュエータと、前記ハウジングと前記アクチュエータとに挟持され、かつ、前記各コンタクトにそれぞれ接触する複数のパッドを有するＦＰＣとから構成され、前記アクチュエータは、前記ＦＰＣと接続する閉鎖位置と、接続を解除する開放位置との間で、前記ハウジングに回転開閉自在に取り付けられ、前記ハウジングは、両側にそれぞれロック受部を有し、前記アクチュエータは、平板状に形成され、前記ＦＰＣの挿入側に前記ＦＰＣから荷重を受ける端部を有し、前記ＦＰＣの挿入側の反対側に回転中心を有し、両側にそれぞれ前記ロック受部と係合するロック部と、前記アクチュエータを開放するための開放操作部とを有し、前記ロック部は、前記端部よりも前記回転中心から遠く離れて位置し、前記アクチュエータを開放する方向に前記ＦＰＣが引張られたときに、前記ロック部と前記ロック受部とが係合する位置と前記アクチュエータの回転中心との間の距離が、前記ＦＰＣから前記アクチュエータが荷重を受ける端部と前記アクチュエータの回転中心との間の距離よりも長く構成され、前記ロック部は、前記アクチュエータの端部よりも、前記ＦＰＣの挿入方向の反対方向及び前記ＦＰＣの幅方向の両方向に前記アクチュエータから突出して形成され、前記開放操作部は、前記ロック部に形成され、又は、前記ロック部よりも前記回転中心から遠い位置に形成されているＦＰＣ用コネクタ。
【００１７】
【発明の実施の形態】
本発明の一実施の形態例のＦＰＣ用コネクタについて図１〜図３を参照して説明する。
【００１８】
図１は、ＦＰＣ用コネクタの斜視図である。ただし、アクチュエータ２が開放した状態を示す。ハウジング１には、アクチュエータ２が開閉自在に取り付けられている。開閉自在の取り付け構造は、図示されていないが、一例としてアクチュエータ２の両側の外表面の後方に形成された凸部とハウジング１の両側の内表面の中央に形成された凹部との嵌合構造である。ハウジング１とアクチュエータ２とは、いずれも合成樹脂から製造される。
【００１９】
ハウジング１には、多数の第１のコンタクト３が前方に配設され、また、多数の第２のコンタクト４が後方に配設されている。図１には明瞭に示されていないが、各第１のコンタクト３と各第２のコンタクト４とは、相互の短絡を防止するために、千鳥状（ジグザグ状）に配列されている。更に、ハウジング１におけるＦＰＣ５の挿抜側の左右両側には、ロック受部１ａが突出して形成されている。
【００２０】
アクチュエータ２におけるＦＰＣ５の挿抜側の左右両側には、ロック部２ａが突出して形成され、また、各ロック部２ａの外表面には、手指の先をかける開放操作部２ｂが形成されている。
【００２１】
図２は、ＦＰＣ５がＦＰＣ用コネクタに挿入されてロックされたときの状態を示す斜視図である。この状態では、アクチュエータ２の一対のロック部２ａは、ハウジング１の一対のロック受部１ａに係合している。ＦＰＣ５の裏面には、多数のパッド部（本発明の要点でないため図示しないが、前記従来のＦＰＣ用コネクタと同様である。）が２列の千鳥状に設けられている。そして、ＦＰＣ５の先端に近い列の各パッド部は、各第２のコンタクト４に接触し、ＦＰＣ５の先端から遠い列の各パッド部は、各第１のコンタクト３に接触する。
【００２２】
図３は、アクチュエータ２を開放する方向にＦＰＣ５が引張られるときの断面図である。本実施の形態例では、ロック部２ａとアクチュエータ２の回転中心２ｃとの間の距離を、ＦＰＣ５が図３の矢印方向に引張られたときにＦＰＣ５からアクチュエータ２が荷重を受ける点２ｄと回転中心２ｃとの間の距離よりも長く構成する。すると、ＦＰＣ５に間違って矢印方向の僅かな引張り力が作用しても、てこの原理によって、ロック部２ａとロック受部１ａとの係合は解除されない。
【００２３】
本実施の形態例では、開放操作部２ｂをロック部２ａに形成したが、ロック部２ａよりも回転中心２ｃから遠いアクチュエータ２における位置に形成すると、弱い力でアクチュエータ２をハウジング１から開放することができる。
【００２４】
【発明の効果】
以上の説明から明らかなように、本発明によれば、次の効果を奏することができる。
【００２５】
１．ロック受部に係合するロック部とアクチュエータの回転中心との間の距離が、ＦＰＣがアクチュエータを開放する方向に引張られたときにＦＰＣからアクチュエータが荷重を受ける点と回転中心との間の距離よりも長いので、ロック部とロック受部との係合が弱くても、間違ってＦＰＣに僅かな引張力がかかった場合、アクチュエータの閉鎖状態が維持される。
【００２６】
２．アクチュエータの開放操作部をアクチュエータから突出して形成されたロック部又はロック部よりも回転中心から遠い位置に形成したので、アクチュエータの開放を容易に操作することができる。
【図面の簡単な説明】
【図１】本発明の一実施の形態例のＦＰＣ用コネクタの斜視図である。ただし、アクチュエータが開放した状態を示す。
【図２】本発明の一実施の形態例のＦＰＣ用コネクタにＦＰＣが挿入されてロックされたときの状態を示す斜視図である。
【図３】本発明の一実施の形態例のＦＰＣ用コネクタの断面図であり、アクチュエータを開放する方向にＦＰＣが引張られるときの状態を示す。
【図４】従来のＦＰＣ用コネクタの斜視図である。ただし、ＦＰＣがコネクタに挿入される前の状態を示す。
【図５】同コネクタにおける各コンタクトをハウジングに組み付ける前の状態を示す斜視図であり、（Ａ）は第１のコンタクト、（Ｂ）は第２のコンタクトを、それぞれ示す。
【図６】同コネクタにおけるハウジング、第１のコンタクト、第２のコンタクト及びレバー部の位置関係を示す諸断面図であり、（Ａ）はハウジングと第１のコンタクトと開放されたレバー部、（Ｂ）はハウジングと第２のコンタクトと開放されたレバー部、（Ｃ）はハウジングと第２のコンタクトと閉鎖されたレバー部を、それぞれ示す。
【図７】同コネクタに接続されるＦＰＣの裏面図である。
【符号の説明】
１    ハウジング
１ａ    ロック受部
２    アクチュエータ
２ａ    ロック部
２ｂ    開放操作部
２ｃ    回転中心
２ｄ    荷重を受ける点
３    第１のコンタクト
４    第２のコンタクト
５    ＦＰＣ
【図１】
0003574891.tif 000002
【図２】
0003574891.tif 000003
【図３】
0003574891.tif 000004
【図４】
0003574891.tif 000005
【図５】
0003574891.tif 000006
【図６】
0003574891.tif 000007
【図７】
0003574891.tif 000008